(57)【要約】【課題】安価で構成が単純な副ガイドレールを用いて光ピックアップを移送ガイドできる「ディスク装置」を提供する。【解決手段】光ピックアップ４には先端側に摺動部２５ａを有する板ばね２５が片持ち梁状に取り付けられており、ガイド溝２４に挿入された平板状の副ガイドレール３の一面に摺動部２５ａ弾接させることにより、副ガイドレール３の他面が板ばね２５の弾発力を受けてガイド溝２４の一方の内壁面（基準面Ｔ１）に圧接されるようになっている。この光ピックアップ４にはガイド溝２４の基準面Ｔ１の端部に連続する段落ち状の逃げ部２０ａが形成されており、光ピックアップ４に対してレンズの光軸合わせ等の調整作業を行う際に、板ばね２５の摺動部２５ａを逃げ部２０ａ内に退避させることで治具のガイドシャフト５０をガイド溝２４の基準面Ｔ１に圧接させ、この状態で調整作業を行うようにした。【選択図】図６
2015201240.tif 000002
【特許請求の範囲】
【請求項１】
シャーシに主ガイドレールと副ガイドレールが平行に対向配置されており、これら主ガイドレールと副ガイドレールに沿って光ピックアップがディスク状記録媒体の半径方向へ往復移動されるディスク装置において、
前記光ピックアップに、一側面を開放して相対向する一方の内壁面を基準面としたガイド溝と、前記基準面に連続する段落ち状の逃げ部とが設けられていると共に、先端側に摺動部を有する板ばねが片持ち梁状に支持されており、
平板状に形成された前記副ガイドレールの一面に前記板ばねの前記摺動部を弾接させることにより、前記副ガイドレールの他面が前記ガイド溝の前記基準面に圧接されるようになっており、
前記副ガイドレールが前記ガイド溝に挿入されていないときに前記摺動部を前記逃げ部内に退避可能としたことを特徴とするディスク装置。
【請求項２】
請求項１の記載において、前記光ピックアップに前記板ばねとは別に補助ばねが設けられており、前記ガイド溝に前記副ガイドレールよりも厚みの大きな丸棒シャフトが挿入されたとき、この丸棒シャフトが前記補助ばねの弾発力を受けて前記基準面に圧接されるようになっていることを特徴とするディスク装置。
【発明の詳細な説明】
【技術分野】
【０００１】
本発明は、光ピックアップを主ガイドレールと副ガイドレールに沿って往復移動させるディスク装置に係り、特に、金属板や樹脂板等からなる平板状の副ガイドレールを用いた光ピックアップのガイド機構に関するものである。
【背景技術】
【０００２】
ＣＤやＤＶＤ等のディスク状記録媒体に情報を記録／再生するディスク装置において、光ピックアップをＣＤやＤＶＤ等のディスク状記録媒体の半径方向へ往復移動させる際に、ディスク状記録媒体のディスク面に対して光ピックアップの光軸が適正な直角度になっていないと、ディスク状記録媒体に対して正確に情報を記録／再生することができなくなる。そのため、光ピックアップをガイドする主ガイドレールと副ガイドレールのうち、副ガイドレールの両端部の高さを別々の調整ねじによって調整することで、光ピックアップの傾きを調整可能としたガイド機構が広く採用されている。
【０００３】
この種のガイド機構の一例として、断面円形の金属棒を副ガイドレールとして使用し、この副ガイドレールの両端部をそれぞれ保持部材を介してシャーシに取り付けた構造が知られている。これら保持部材には、副ガイドレールを上方へ付勢するばねと、ばねの付勢力を上から受ける調整ねじが備えられており、調整ねじの締め加減によって副ガイドレールの両端部の高さを別々に調整可能としている。
【０００４】
このように概略構成された光ピックアップのガイド機構によれば、副ガイドレールの高さを調整する際に、光ピックアップは主ガイドレールを中心軸として僅かに回動すると共に、副ガイドレールに対しても相対的に回動することになるが、副ガイドレールが断面円形であるため、光ピックアップを副ガイドレールに対して円滑に回動させることができる。しかし、副ガイドレールとして高価な金属棒を使用する必要があり、また、ばねと調整ねじを備えた保持部材を２組必要とするため、コストアップになったり調整作業が煩雑になるといった問題がある。
【０００５】
そこで従来より、滑性に優れた樹脂シートの長手方向両端部をシャーシに貼着して副ガイドレールとなし、このような平板状の副ガイドレールを光ピックアップに設けた断面コ字状のガイド溝に挿入することにより、副ガイドレールにガイド溝の内壁面を摺接支持させて光ピックアップを移動するようにしたガイド機構が提案されている（例えば、特許文献１参照）。
【０００６】
特許文献１に開示された従来技術では、高価な金属棒の代わりに安価な平板状部材を用いて副ガイドレールを構成し、この副ガイドレールをシャーシの撓み等を利用してガイド溝の内壁面に圧接させることにより、光ピックアップをガタつきなく移動させることができるため、安価で単純構造のガイド機構が実現されている。
【先行技術文献】
【特許文献】
【０００７】
【特許文献１】特開平１１−１８５４０５号公報
【発明の概要】
【発明が解決しようとする課題】
【０００８】
ところで、この種のディスク装置においては、シャーシに組み込む前の光ピックアップに対してレンズの光軸合わせ等の調整作業を行うようになっているが、通常、この調整作業には丸棒シャフトからなる一対のガイドレールを備えた治具が使用されている。これは治具のガイドレールに高い精度と耐久性が要求されるからであり、ディスク装置に備えられる主ガイドレールと副ガイドレールが治具のガイドレールと同じ断面円形の金属棒であれば、調整作業後の光ピックアップをそのままディスク装置に組み込むことができる。しかしながら、平板状の副ガイドレールを用いたディスク装置である場合、治具側のガイドレールとディスク装置側の平板状の副ガイドレールとの間に大きな寸法上の差異が発生するため、例えば、両者の差分に相当する厚みのスペーサを副ガイドレールに貼着する等の補正手段を講ずる必要があり、それに伴ってコストアップになり構造も複雑化してしまうことになる。
【０００９】
本発明は、このような従来技術の実情に鑑みてなされたもので、その目的は、安価で構成が単純な副ガイドレールを用いて光ピックアップを移送ガイドできるディスク装置を提供することにある。
【課題を解決するための手段】
【００１０】
上記の目的を達成するために、本発明は、シャーシに主ガイドレールと副ガイドレールが平行に対向配置されており、これら主ガイドレールと副ガイドレールに沿って光ピックアップがディスク状記録媒体の半径方向へ往復移動されるディスク装置において、前記光ピックアップに、一側面を開放して相対向する一方の内壁面を基準面としたガイド溝と、前記基準面に連続する段落ち状の逃げ部とが設けられていると共に、先端側に摺動部を有する板ばねが片持ち梁状に支持されており、平板状に形成された前記副ガイドレールの一面に前記板ばねの前記摺動部を弾接させることにより、前記副ガイドレールの他面が前記ガイド溝の前記基準面に圧接されるようになっており、前記副ガイドレールが前記ガイド溝に挿入されていないときに前記摺動部を前記逃げ部内に退避可能とした。
【００１１】
このように構成されたディスク装置では、光ピックアップに片持ち梁状に設けた板ばねの摺動部を平板状に形成された副ガイドレールの一面に弾接させることにより、副ガイドレールの他面が板ばねの弾発力を受けてガイド溝の基準面に圧接されるようになっているため、光ピックアップを主ガイドレールと副ガイドレールに沿って円滑に移送することができる。ここで、光ピックアップにはガイド溝の基準面に連続する段落ち状の逃げ部が形成されており、ディスク装置に組み込む前の光ピックアップに対してレンズの光軸合わせ等の調整作業を行う際に、板ばねの摺動部を逃げ部内に退避させた状態で、治具のガイドシャフト（丸棒シャフト）をガイド溝の基準面に圧接させることができるため、板ばねに邪魔されることなくレンズの光軸合わせ等を行うことができる。
【００１２】
上記の構成において、光ピックアップに板ばねとは別に補助ばねが設けられており、ガイド溝に副ガイドレールよりも厚みの大きな丸棒シャフトが挿入されたとき、この丸棒シャフトが補助ばねの弾発力を受けて基準面に圧接されるようになっていると、ディスク装置に組み込む前の光ピックアップに対してレンズの光軸合わせ等の調整作業を行う際に、治具の丸棒シャフトが補助ばねの弾発力を受けてガイド溝の基準面に自動的に圧接されるため、調整作業を簡単に行うことができる。
【発明の効果】
【００１３】
本発明のディスク装置では、光ピックアップに片持ち梁状に設けた板ばねの摺動部を平板状の副ガイドレールの一面に弾接させることにより、副ガイドレールの他面が板ばねの弾発力を受けてガイド溝の基準面に圧接されるようになっているため、光ピックアップを主ガイドレールと副ガイドレールに沿って円滑に移送することができる。そして、この光ピックアップにはガイド溝の基準面に連続する段落ち状の逃げ部が形成されており、ディスク装置に組み込む前の光ピックアップに対してレンズの光軸合わせ等の調整作業を行う際に、板ばねの摺動部を逃げ部内に退避させた状態で、治具のガイドシャフトをガイド溝の基準面に圧接させることができるため、板ばねに邪魔されることなくレンズの光軸合わせ等を行うことができる。
【図面の簡単な説明】
【００１４】
【図１】本発明の実施形態例に係るディスク装置を表面側から見た斜視図である。
【図２】該ディスク装置を裏面側から見た斜視図である。
【図３】該ディスク装置に備えられる光ピックアップの斜視図である。
【図４】該光ピックアップを反対側から見た斜視図である。
【図５】該光ピックアップの正面図である。
【図６】該光ピックアップのガイド機構を示す正面図である。
【図７】該ガイド機構の側面図である。
【図８】該ガイド機構に用いられる副ガイドレールの斜視図である。
【図９】該光ピックアップを調整用治具に組み付けた状態を示す説明図である。
【図１０】変形例に係る光ピックアップの斜視図である。
【図１１】該光ピックアップを別方向から見た斜視図である。
【図１２】該光ピックアップの正面図である。
【図１３】該光ピックアップのガイド機構を示す正面図である。
【図１４】該ガイド機構の側面図である。
【図１５】該光ピックアップを調整用治具に組み付けた状態を示す説明図である。
【図１６】図１５のＡ方向矢視図である。
【発明を実施するための形態】
【００１５】
発明の実施の形態について図面を参照して説明すると、図１と図２に示すように、本発明の実施形態例に係るディスク装置は、金属板製または合成樹脂製のシャーシ１と、シャーシ１の裏面側に固定された主ガイドレール２および副ガイドレール３と、これら主ガイドレール２と副ガイドレール３によって往復動自在に支持された光ピックアップ４等を備えている。
【００１６】
シャーシ１の裏面側にはスピンドルモータ５が取り付けられており、このスピンドルモータ５の回転軸にターンテーブル６が取着されている。ターンテーブル６はシャーシ１に設けられた開口部７を通して表面側に露出しており、ターンテーブル６上に載置された図示せぬディスクに対して光ピックアップ４が情報の記録／再生を行うようになっている。また、シャーシ１の裏面側にはスレッドモータ８が取り付けられており、このスレッドモータ８の回転がウォームやギア列等からなる減速歯車機構９を介して光ピックアップ４に伝達されることにより、光ピックアップ４は主ガイドレール２と副ガイドレール３に沿って開口部７内を往復移動する。
【００１７】
図３〜図５に示すように、光ピックアップ４は、合成樹脂製のシャーシ本体１０と、シャーシ本体１０に担持された受発光ユニット１１やレンズアクチュエータ１２や反射ミラー（図示せず）等と、シャーシ本体１０から導出されて外部回路に接続されるＦＰＣ（フレキシブル配線基板）１３とによって主に構成されている。受発光ユニット１１には光源（半導体レーザ）と光検出器が一体的に設けられており、レンズアクチュエータ１２には、マグネットを含む磁気回路が設けられたベース部材１４と、対物レンズ１５を保持するレンズホルダ１６と、一端部がレンズホルダ１６を弾性的に支持している４本の導電性ワイヤ１７と、各導電性ワイヤ１７の他端部が半田付けされた背面基板１８とが具備されている。この背面基板１８はベース部材１４に保持されており、導電性ワイヤ１７には対物レンズ１５を駆動するための制御信号がＦＰＣ１３を介して供給されるようになっている。
【００１８】
シャーシ本体１０はレンズアクチュエータ１２等を挟んで対向する両側面に第１ガイド部１９と第２ガイド部２０を有しており、第１ガイド部１９が突設されている一方側の端部に背面基板１８が設置され、第２ガイド部２０が突設されている他方側の端部に受発光ユニット１１が設置されている。また、シャーシ本体１０の他方側の端部には金属カバー２１と押え板２２が取着されており、押え板２２に形成した弾性片２２ａを金属カバー２１に弾接させることにより、金属カバー２１を受発光ユニット１１に圧接させて受発光ユニット１１に対する放熱効果が高められている。
【００１９】
第１ガイド部１９には断面円形のガイド孔２３が設けられており、このガイド孔２３に主ガイドレール２が挿通されるようになっている。第２ガイド部２０には、一側面を開放した断面Ｕ字状のガイド溝２４と、ガイド溝２４に連続する段落ち状の逃げ部２０ａとが設けられており、このガイド溝２４に副ガイドレール３が挿入されるようになっている。ガイド溝２４の相対向する内壁面Ｔ１，Ｔ２の間隔は副ガイドレール３の板厚に比べて十分に大きく設定されており、逃げ部２０ａは一方の内壁面Ｔ１の端部に連続してガイド溝２４の奥行方向へ延びている。また、第２ガイド部２０近傍のシャーシ本体１０には板ばね２５がねじ止め等の固定手段を用いて取り付けられており、この板ばね２５はガイド溝２４に向かって片持ち梁状に延びている。板ばね２５の先端（自由端）側には凸状の摺動部２５ａが形成されており、図５に示すように，光ピックアップ４のガイド溝２４に副ガイドレール３が挿入されていないとき、この摺動部２５ａはガイド溝２４を超えて逃げ部２０ａ内に退避可能となっている。
【００２０】
主ガイドレール２は断面円形の金属棒からなり、この主ガイドレール２の両端部はシャーシ１の裏面側に固定されている。一方、副ガイドレール３は所定形状にフォーミングされた金属板からなり、この副ガイドレール３は一対の調整ねじ３１を用いてシャーシ１の裏面側に固定されている（図２参照）。そして、図６と図７に示すように、主ガイドレール２を第１ガイド部１９のガイド孔２３に挿通すると共に、副ガイドレール３を第２ガイド部２０のガイド溝２４に挿入することにより、光ピックアップ４は主ガイドレール２と副ガイドレール３に沿って開口部７内を移動可能となっている。
【００２１】
図８に示すように、副ガイドレール３は、光ピックアップ４の移動方向（Ｘ１−Ｘ２方向）へ延びるガイド板部２６と、ガイド板部２６の長手方向両端部からＹ１方向へ突出する一対の調整部２７，２８と、各調整部２７，２８から屈曲してガイド板部２６の長手方向と平行に延びる一対のばね板部２９，３０とを有しており、これらはＳＵＳ等のばね性に富む金属板をプレス加工することで一体形成されている。
【００２２】
ガイド板部２６は平板部２６ａの一側縁から起立部２６ｂが直角に折れ曲がる断面Ｌ字形に形成されており、ガイド板部２６の剛性を高めるために、平板部２６ａの幅方向中央には断面半円状のリブ２６ｃが長手方向全域に亘って形成されている。一対の調整部２７，２８は起立部２６ｂの両端部から直角に折れ曲がって平板部２６ａから離れる方向へ突出しており、このように平板部２６ａと調整部２７，２８が起立部２６ｂを介して段違いに連結されているため、平板部２６ａが延在する平面と調整部２７，２８が延在する平面は互いに平行となる。調整部２７，２８にはそれぞれ貫通孔２７ａ，２８ａが穿設されており、これら貫通孔２７ａ，２８ａに挿入した調整ねじ３１をシャーシ１に螺合することにより、前述したように、副ガイドレール３はシャーシ１に固定されるようになっている（図２参照）。
【００２３】
一方のばね板部２９は調整部２７から図８のＸ１方向へ延びるくの字状の弾性アームとなっており、このばね板部２９には、シャーシ１の仮止孔に挿入される掛止部２９ａと、シャーシ１の規制突起に凹凸嵌合される位置決め孔２９ｂとが形成されている。また、他方のばね板部３０は調整部２８から図８のＸ１方向へ延びるくの字状の弾性アームとなっており、このばね板部３０にはシャーシ１の規制突起に凹凸嵌合される位置決め孔３０ａが形成されている。
【００２４】
このように構成された副ガイドレール３は、一対の調整ねじ３１によってシャーシ１に固定されるが、調整ねじ３１の締め加減によってガイド板部２６がシャーシ１の板面に対して平行な姿勢を保ったまま昇降動作するため、副ガイドレール３の高さ調整を単純な構成で高精度に行うことができるようになっている。
【００２５】
図６と図７に戻り、副ガイドレール３のガイド板部２６は光ピックアップ４のガイド溝２４に挿入されており、この状態でガイド板部２６の平板部２６ａに板ばね２５の摺動部２５ａを弾接させることにより、ガイド板部２６のリブ２６ｃがガイド溝２４の一方の内壁面（図５の上側の内壁面Ｔ１）に圧接されている。これにより光ピックアップ４は、第２ガイド部２０のガイド溝２４をガイド板部２６に圧接させながら、副ガイドレール３の延出方向に沿ってガタつきなく円滑に移動することができる。
【００２６】
ここで、ディスク装置（製品）に組み込む前の光ピックアップ４に対しては、対物レンズ１５の光軸合わせ等の調整作業を行う必要があり、この調整作業には一対のガイドレールを備えた治具が使用される。図９に示すように、治具の一方のガイドレールはガイド孔２３とほぼ同径の丸棒シャフト３２であり、他方のガイドレールはガイド溝２４の溝幅よりも幾分小径の丸棒シャフト３３であり、これら丸棒シャフト３２，３３にガイド孔２３とガイド溝２４を挿入した状態で光ピックアップ４の調整作業が行われる。
【００２７】
その際、板ばね２５は摺動部２５ａを逃げ部２０ａ内に退避させることができるように光ピックアップ４に保持されているため（図５参照）、図９に示すように、丸棒シャフト３３を板ばね２５に邪魔されることなくガイド溝２４内にスムーズに挿入することができる。そして、このように丸棒シャフト３３をガイド溝２４に挿入した後、治具から図９の矢印Ｐ方向の外部荷重を印加することでガイド溝２４の一方の内壁面Ｔ１を丸棒シャフト３３に押し当て、この内壁面Ｔ１を基準面として光ピックアップ４を丸棒シャフト３２，３３の軸線方向へ移動させて光軸合わせ等の調整作業が行われる。
【００２８】
なお、かかる調整作業が終了した光ピックアップ４をディスク装置に組み込む場合、ガイド溝２４の一方の内壁面Ｔ１と板ばね２５の先端との間に副ガイドレール３のガイド板部２６を挿入すると、ガイド板部２６が板ばね２５を押し下げるようにしてガイド溝２４の内部に入り込んでいく。その結果、板ばね２５の摺動部２５ａがガイド板部２６の平板部２６ａに弾接するため、図６と図７に示すように、ガイド板部２６のリブ２６ｃがガイド溝２４の一方の内壁面（図５の基準面Ｔ１）に圧接されることとなり、ディスク装置に組み込まれた光ピックアップ４は主ガイドレール２と副ガイドレール３に沿ってガタつきなく円滑に移動可能となる。
【００２９】
以上説明したように、本実施形態例に係るディスク装置では、光ピックアップ４に片持ち梁状に設けた板ばね２５の摺動部２５ａを平板状に形成された副ガイドレール３の一面に弾接させることにより、副ガイドレール３の他面が板ばね２５の弾発力を受けてガイド溝２４の一方の内壁面（基準面Ｔ１）に圧接されるようになっているため、光ピックアップ４を主ガイドレール２と副ガイドレール３に沿って円滑に移動することができる。そして、光ピックアップ４にはガイド溝２４の基準面Ｔ１の端部に連続する段落ち状の逃げ部２０ａが形成されており、ディスク装置に組み込む前の光ピックアップ４に対してレンズの光軸合わせ等の調整作業を行う際に、板ばね２５の摺動部２５ａを逃げ部２０ａ内に退避させた状態で、治具のガイドシャフト（丸棒シャフト）５０をガイド溝２４の基準面Ｔ１に圧接させることができるため、板ばね２５に邪魔されることなくレンズの光軸合わせ等を行うことができる。
【００３０】
図１０〜図１６は光ピックアップ４０の変形例を説明するものであり、この変形例に係る光ピックアップ４０が前述した光ピックアップ４と相違する点は、光ピックアップ４０に板ばね２５に加えて補助ばね４１を設けたことにあり、それ以外の構成は基本的に同じである。なお、これら図１０〜図１６において、図２〜図９と対応する部分には同一符号を付すことによって重複説明を適宜省略する。
【００３１】
図１０〜図１２に示すように、光ピックアップ４０のシャーシ本体１０には第１ガイド部１９と第２ガイド部２０が設けられており、この第２ガイド部２０の近傍には板ばね２５と補助ばね４１がねじ止め等の固定手段を用いて取り付けられている。板ばね２５はガイド溝２４の一方の内壁面Ｔ１に向かって片持ち梁状に延びており、その先端（自由端）側には凸状の摺動部２５ａが形成されている。図１２に示すように，光ピックアップ４のガイド溝２４に副ガイドレール３が挿入されていないとき、この摺動部２５ａはガイド溝２４の内壁面Ｔ１を超えて逃げ部２０ａ内に退避可能となっている。補助ばね４１はガイド溝２４の他方の内壁面Ｔ２に向かって片持ち梁状に延びており、その先端（自由端）は内壁面Ｔ２からガイド溝２４の内方へ幾分突出している。なお、これら板ばね２５と補助ばね４１は個々に形成した別体であっても良いが、１枚の弾性板を所定形状にフォーミングした一体品とすることも可能である。
【００３２】
図１３と図１４に示すように、主ガイドレール２を第１ガイド部１９のガイド孔２３に挿通すると共に、副ガイドレール３を第２ガイド部２０のガイド溝２４に挿入することにより、光ピックアップ４０は主ガイドレール２と副ガイドレール３に沿って移動するようになっている。その際、板ばね２５の摺動部２５ａが副ガイドレール３のガイド板部２６（平板部２６ａ）に弾接しているため、副ガイドレール３のリブ２６ｃはガイド溝２４の一方の内壁面（図１２の上側の内壁面Ｔ１）に圧接されているが、補助ばね４１は副ガイドレール３から十分に離れた位置にあって非接触状態を維持している。
【００３３】
また、ディスク装置に組み込む前の光ピックアップ４０に対して調整作業を行う場合は、図１５と図１６に示すように、治具に備えられる一対の丸棒シャフト３２，３３に光ピックアップ４０のガイド孔２３とガイド溝２４を挿入した状態で対物レンズ１５の光軸合わせ等を行えば良い。
【００３４】
その際、板ばね２５の摺動部２５ａは逃げ部２０ａ内に退避可能であるため、丸棒シャフト３３を板ばね２５と補助ばね４１の間からガイド溝２４内にスムーズに挿入することができ、しかも、この丸棒シャフト３３は補助ばね４１の弾発力を受けてガイド溝２４の一方の内壁面（基準面Ｔ１）に押し当てられるため、わざわざ治具により外部荷重を印加しなくてもガイド溝２４の基準面Ｔ１は丸棒シャフト３３に自動的に圧接されることになり、光ピックアップ４の調整作業をより簡単に行うことができる。
【００３５】
なお、光ピックアップ４，４０のガイド機構に用いられる副ガイドレール３として、上記実施形態例で説明した構造以外のものを採用することも可能であり、要は、光ピックアップ４，４０のガイド溝２４に平板状に形成された副ガイドレール３が挿入され、この副ガイドレール３が板ばね２５の弾発力を受けてガイド溝２４の基準面Ｔ１に圧接されるようになっていれば良い。
【００３６】
また、上記実施形態例では、ガイド溝２４の基準面Ｔ１に連続する段落ち状（段差形状）の逃げ部２０ａを、該基準面Ｔ１の端部（光ピックアップ４，４０の移動方向の一端部）に形成した例について説明したが、板ばね２５の摺動部２５ａと対向する位置であれば、基準面Ｔ１における光ピックアップ４，４０の移動方向の中間位置に形成しても良い。
【符号の説明】
【００３７】
１  シャーシ
２  主ガイドレール
３  副ガイドレール
４，４０  光ピックアップ
１０  シャーシ本体
１５  対物レンズ
１９  第１ガイド部
２０  第２ガイド部
２０ａ  逃げ部
２３  ガイド孔
２４  ガイド溝
２５  板ばね
２５ａ  摺動部
２６  ガイド板部
２６ａ  平板部
２６ｂ  起立部
２６ｃ  リブ
２７，２８  調整部
２９，３０  ばね板部
３１  調整ねじ
３２，３３  丸棒シャフト（ガイドレール）
４１  補助ばね
Ｔ１  ガイド溝の一方の内壁面（基準面）
Ｔ２  ガイド溝の他方の内壁面
【図１】
2015201240.tif 000003
【図２】
2015201240.tif 000004
【図３】
2015201240.tif 000005
【図４】
2015201240.tif 000006
【図５】
2015201240.tif 000007
【図６】
2015201240.tif 000008
【図７】
2015201240.tif 000009
【図８】
2015201240.tif 000010
【図９】
2015201240.tif 000011
【図１０】
2015201240.tif 000012
【図１１】
2015201240.tif 000013
【図１２】
2015201240.tif 000014
【図１３】
2015201240.tif 000015
【図１４】
2015201240.tif 000016
【図１５】
2015201240.tif 000017
【図１６】
2015201240.tif 000018